(57)【要約】【課題】  片手で簡単に内容液の吐出から受け取りまでの一連の動作のできる液体収納容器用ホルダ−を提供すること。【解決手段】  液体収納容器用ホルダ−Ａは、容器４をバンド５で拘持するＬ形の支持体３と、容器４の口端２２を開閉する口端開閉子１２と該口端開閉子１２の摺動動作に連動させて、容器４の胴部を押圧開放自在に軸支される押圧片１９を作動させる揺動体１４とから成る。【選択図】          図１
2006111343.tif 000002
【特許請求の範囲】
【請求項１】
背板と底板とで一体に形成されるＬ形の支持体と、支持体の上部で容器を背板に拘持するバンドと、背板の背面に設けられる係着体と、支持体の両側でア−ム上端の軸部が揺動自在に軸支され、ア−ム下端には底板の幅方向中央に開口した窓にのぞんで前後方向に摺動自在な口端開閉子が案内されるとともに、押圧レバ−が一体に垂下された揺動体と、前記軸部に外嵌して該揺動体に戻し方向の弾発力を付勢する戻しバネと、軸部の凸片で上方へ押し上げられる押圧子と、該押圧子に押圧され、背板の上部で切欠き窓から出入自在として軸支されるＬ形の押圧片と、から成る液体収納容器用ホルダ−。
【発明の詳細な説明】
【技術分野】
【０００１】  本発明は、片手で簡単に操作でき、かつ、その操作する手で保持された容器から内容物を受けることのできる家庭用具又は容器補助具−としての容器ホルダ−に関する。
【背景技術】
【０００２】  手摺りなどの水平棒状体と壁面とを利用した容器ホルダ−は、特開２００１−１４９２１０号公報（特許文献１）に提案されているが、特許文献１の容器ホルダ−は、ポンプ式の容器を保持するものである上、内容物を受けるときに両手の使用が必要となる。
【特許文献１】    特開２００１−１４９２１０号公報
【発明の開示】
【発明が解決しようとする課題】
【０００３】  本発明は、ポンプ式でない胴部を押圧して内容液を吐出させる液体容器を対象として、片手で内容液の吐出から受け取りまでの動作のできる液体収納容器用ホルダ−を提供しようとするものである。
【課題を解決するための手段】
【０００４】  本発明の液体収納容器用ホルダ−は、背板と底板とで形成されるＬ形の支持体と、支持体の上部で容器を背板に拘持するバンドと、背板の背面に設けられる係着体と、支持体の両側でア−ム上端の軸部が揺動自在に軸支され、ア−ム下端には底板の幅方向中央に開口した窓にのぞんで前後方向に摺動自在な口端開閉子が案内されるとともに、押圧レバ−が一体に垂下された揺動体と、前記軸部に外嵌して該揺動体に房し方向の弾発力を付勢する戻しバネと、軸部の凸片で上方へ押し上げられる押圧子と、該押圧子に押圧され、背板の上部で切欠き窓から出入自在として軸支されるＬ形の押圧片と、から成る。
【発明の効果】
【０００５】  本発明の液体収納容器用ホルダ−は、液体収納容器を逆さまの姿勢で口端を開閉自在に拘持するとともに、口端開口のタイミングに合わせて液体収納容器の胴部を押圧するものであるが、この一連の動作は押圧レバ−の片手操作によってなされるものであり、洗い物などをする場合に、一方の手に皿やコップを持った状態で他方の手に持つ洗い片に洗剤を吐出できるから洗い作業が能率的なものとなるほか、洗剤などの容器を特定位置に整然と使用状態で保管できるなどの効果がある。
【発明を実施するための最良の形態】
【０００６】  背板の背面に設けられる係着体は、吸盤のほか外面に剥離紙を貼着した両面接着テ−プを一体にした台座や、ビス取付け孔のある台座などである。また、容器を背面に拘持するバンドは、両面を抜き差し調整自在としたものから、一端を固定して他端を着脱自在にしたものでも良しとされ、さらに、揺動体のア−ム下端で底板に案内される口端開閉子は、容器口端に馴染んで変形するスポンジ状の閉塞材が配設されるほか、口端の閉塞方向へ案内されるときに、該閉塞材が口端に食い込むように、口端開閉子を上方へ押圧する押し上げ部も配設される。
【実施例】
【０００７】  本発明を一実施例により説明すると、図１（ａ）、（ｂ）に示すように、幅（広い部分）４５ｍｍ、高さ８５ｍｍの合成樹脂製の背板１と、幅３５ｍｍ、長さ７５ｍｍの合成樹脂製の底板２とで一体にビス止めなどで形成されるＬ形の支持体３は、上部に容器４を拘持する抜き差し調整自在なバンド５を設け、背面には正面の吸引レバ−６に引込まれる吸盤７を接合し、中間部では、その両側でア−ム８の上端の軸部９を揺動自在に軸支し、ア−ム８の下端では底板２の幅方向中央に開口した窓１０にのぞんで前後方向に摺動自在で上面にスポンジ状の閉塞材１１を接合した口端開閉子１２を案内するとともに、舌状の押圧レバ−１３を一体に垂下した合成樹脂製の揺動体１４を設け、前記軸部９には該揺動体１４に戻し方向の弾発力を付勢する戻しバネ１５を外嵌するとともに、軸部９の凸片１６には上下方向に摺動自在に案内される押圧子１７の下端を接触させ、背板１の上部中央には切欠き窓１８が抜かれ、該切欠き窓１８にＬ形の押圧片１９を遊嵌するとともに、垂直辺２０を切欠き窓１８から出入自在として軸支し、その水平辺２１の下面を前記押圧子１７の上端に接触させて成る。【０００８】  このようにして成る液体収納容器用ホルダ−（以下、単にホルダ−とする。）Ａは、キッチンなどの使用場所の壁面に吸盤７を吸着させることで接合され、図１（ａ）の仮想線で示すように、洗剤などの内容液を収納した容器４を、その口端２２が引き出された状態で口端開閉子１２の閉塞材１１に食い込み状にバンド５で拘持して使用に供されるのである。
使用するときは、スポンジからなる洗い片（図外）を持った手の指を押圧レバ−１３の前面に当て、図２に示すように、押圧レバ−１３を矢印方向へ押圧すると、揺動体１４のア−ム８は軸部９を中心に左回転方向に戻しバネ１５の弾発力に抗して揺動し、同時に口端開閉子１２は、その下面に垂下した軸受２３の長孔２４に遊嵌した軸２５がア−ム８の下端に形成された長孔２６に係合されたものであるから、図の右方向へ摺動する。すると、容器４の口端２２は口端開閉子１２の閉塞材１１から解放されるとともに、前記軸部９の凸片１６が押圧子１７を押し上げ、その動作で押圧片１９の垂直辺２０が仮想線で示すように背板１の前面から突出されて容器４の胴部を押圧し、内容液を口端２２から吐出させるのである。
このとき、すなわち口端開閉子１２が右方向へ摺動して口端２２を解放するとき、口端開閉子１２の先端に取着された制御棒２７が徐々に押し上げ部としてのバネ状の降下傾斜面２８に案内されるため口端開閉子１２は軸２５を中心に自重で左回転状に若干降下し、その上面の閉塞材１１は口端２２から離れ易くなるのである。
内容液を洗い片に受け取って押圧レバ−１３から手を離せば、戻りバネ１５の弾発力で揺動体１４が軸部９を中心に右回転し、同時に口端開閉子１２は左方向へ摺動し、その先端の制御棒２７が降下傾斜面２８に沿って上方へ案内され、上面の閉塞材１１が徐々に容器４の口端２２へ接近してついには初期設定位置で口端２２を閉塞し、軸部９の凸片１６による押圧子１７の押圧も解放され、それに伴って押圧片１９の垂直辺２０が容器４の胴部の復元力によって背板１の切欠き窓１８に収められるのである。
このようにホルダ−Ａは上記動作の繰り返しで容器４から内容液が簡単に片手の洗い片に受け取られて使用されるのである。
【産業上の利用可能性】
【０００９】  本発明のホルダ−Ａは、家庭用具の分野で一般家庭向きに市販されることは勿論のこと、病院などの衛生設備向けの容器補助具としても大いに利用され得るものである。
【図面の簡単な説明】
【００１０】
【図１】  本発明の液体収納容器用ホルダ−Ａの説明図で、（ａ）はその右側面図であり、（ｂ）はその背面図である。
【図２】  揺動体１４の作動説明図である。
【符号の説明】
【００１１】１  背板
２  底板
３  支持体
４  容器
５  バンド
６  吸引レバ−
７  吸盤
８  ア−ム
９  軸部
１０  窓
１１  閉塞材
１２  口端開閉子
１３  押圧レバ−
１４  揺動体
１５  戻しバネ
１６  凸片
１７  押圧子
１８  切欠き窓
１９  押圧片
２０  垂直辺
２１  水平辺
２２  口端
２３  軸受
２４  長孔
２５  軸
２６  長孔
２７  制御棒
２８  降下傾斜面
Ａ  液体収納容器用ホルダ−
【図１】
2006111343.tif 000003
【図２】
2006111343.tif 000004